【手続補正書】
【提出日】平成25年10月9日(2013.10.9)
【手続補正１】
【補正対象書類名】明細書
【補正対象項目名】０００６
【補正方法】変更
【補正の内容】
【０００６】
上記課題を解決するため、請求項１に記載の発明の撮像装置は、撮像手段と、画像内の被写体の歪みを補正する歪補正処理を施す処理手段と、前記撮像手段による撮像で得られる画像に対して前記処理手段による歪補正処理を施す場合には、被写体の中央部よりも撮像距離が遠い位置にピントを合わせる所定の焦点調整処理を行うように制御する合焦手段と、を備えることを特徴としている。
【手続補正２】
【補正対象書類名】明細書
【補正対象項目名】０００７
【補正方法】変更
【補正の内容】
【０００７】
請求項２に記載の発明は更に、前記処理手段は、被写体の各部での撮像距離が異なる状態で撮像して得られた画像に対して、撮像距離が遠い側の被写体部分を相対的に拡大する歪補正処理を施すことを特徴としている。
請求項３に記載の発明は更に、前記撮像手段による撮像で得られる画像に対して前記処理手段による歪補正処理を施すか否かを判断する判断手段を更に備え、前記合焦手段は、前記判断手段により歪補正処理を施すと判断されたことを条件として、前記所定の焦点調整処理を行うように制御することを特徴としている。
請求項４に記載の発明は更に、前記処理手段は、撮像距離が遠い側の被写体部分と撮像距離が近い側の被写体部分との撮像距離の比に応じて、撮像距離が遠い側の被写体部分の相対的な拡大率を決定することを特徴としている。
【手続補正３】
【補正対象書類名】明細書
【補正対象項目名】０００８
【補正方法】変更
【補正の内容】
【０００８】
請求項５に記載の発明は更に、前記処理手段は、被写体の輪郭が直角四辺形である場合に、撮像画像から抽出される被写体の輪郭形状に応じて、この抽出された輪郭形状を前記歪補正処理によって直角四辺形に戻すように、撮像距離が遠い側の被写体部分の相対的な拡大率を決定することを特徴としている。
【手続補正４】
【補正対象書類名】明細書
【補正対象項目名】０００９
【補正方法】変更
【補正の内容】
【０００９】
請求項６に記載の発明は更に、前記処理手段は、前記歪補正処理として、画像内の所定の被写体に対する直角四辺形変換処理を行って直角四辺形画像を生成する画像生成処理を含むことを特徴としている。
【手続補正５】
【補正対象書類名】明細書
【補正対象項目名】００１０
【補正方法】変更
【補正の内容】
【００１０】
請求項７に記載の発明は更に、前記撮像手段により撮像される画像内に、合焦評価値を算出すべき評価領域を所定方向に沿って複数設定する領域設定手段と、この領域設定手段により設定された前記複数の評価領域について合焦評価値をそれぞれ算出する算出手段と、を更に備え、前記合焦手段は、前記所定の焦点調整処理として、前記撮像手段の合焦距離を無限域側から至近域側に移動させる際に、前記算出手段により逐次算出されるいずれかの評価領域の合焦評価値のピークを検出する合焦距離の中で、少なくとも最も遠い合焦距離に基づいて、被写体の中央部よりも距離が遠い位置にピントを合わせるように焦点を調整することを特徴としている。
【手続補正６】
【補正対象書類名】明細書
【補正対象項目名】００１１
【補正方法】変更
【補正の内容】
【００１１】
請求項８に記載の発明は更に、前記合焦手段は、前記所定の焦点調整処理として、前記撮像手段の合焦距離を無限域側から至近域側に移動させる途中で前記いずれかの評価領域の合焦評価値のピークを検出した場合は、それより至近域側への合焦距離の移動を中断し、このピークを検出した合焦距離または該合焦距離から所定距離だけ至近域側の合焦距離にピントを合わせるように焦点を調整することを特徴としている。
【手続補正７】
【補正対象書類名】明細書
【補正対象項目名】００１２
【補正方法】変更
【補正の内容】
【００１２】
請求項９に記載の発明は更に、前記合焦手段は、前記所定の焦点調整処理として、前記複数の評価領域で合焦評価値のピークを検出する複数の合焦距離の範囲の中で、被写体の中央部よりも距離が遠い合焦距離にピントを合わせるように焦点を調整することを特徴としている。
【手続補正８】
【補正対象書類名】明細書
【補正対象項目名】００１３
【補正方法】変更
【補正の内容】
【００１３】
請求項１０に記載の発明は更に、前記撮像手段による画像の撮像の際に、前記領域設定手段により設定される複数の評価領域を前記所定の被写体の中央よりも距離が遠い位置と近い位置のそれぞれに対応させるように撮像の案内を行う案内手段を更に備えることを特徴としている。
【手続補正９】
【補正対象書類名】明細書
【補正対象項目名】００１４
【補正方法】変更
【補正の内容】
【００１４】
請求項１１に記載の発明は更に、前記処理手段は、前記複数の評価領域で合焦評価値のピークを検出した複数の合焦距離に基づいて、撮像距離が遠い側の被写体部分と撮像距離が近い側の被写体部分との撮像距離の比を特定して前記相対的な拡大率を決定することを特徴としている。
【手続補正１０】
【補正対象書類名】明細書
【補正対象項目名】００１５
【補正方法】変更
【補正の内容】
【００１５】
請求項１２に記載の発明は更に、ホワイトボードを撮像する撮像モードを設定する設定手段を更に備え、前記判断手段は、前記設定手段により前記撮像モードが設定された場合に、前記処理手段による歪補正処理を施すと判断することを特徴としている。
【手続補正１１】
【補正対象書類名】明細書
【補正対象項目名】００１６
【補正方法】変更
【補正の内容】
【００１６】
請求項１３に記載の発明の撮像処理方法は、撮像手段を備える撮像装置を用いた撮像処理方法であって、画像内の被写体の歪みを補正する歪補正処理と、前記撮像手段による撮像で得られる画像に対して前記歪補正処理を施す場合には、被写体の中央部よりも撮像距離が遠い位置にピントを合わせる所定の焦点調整処理と、を含むことを特徴としている。
【手続補正１２】
【補正対象書類名】明細書
【補正対象項目名】００１７
【補正方法】変更
【補正の内容】
【００１７】
請求項１４に記載の発明のプログラムは、撮像手段を備える撮像装置のコンピュータを、画像内の被写体の歪みを補正する歪補正処理を施す処理手段、前記撮像手段による撮像で得られる画像に対して前記処理手段による歪補正処理を施す場合には、被写体の中央部よりも撮像距離が遠い位置にピントを合わせる所定の焦点調整処理を行うように制御する合焦手段、として機能させることを特徴としている。
【手続補正１３】
【補正対象書類名】特許請求の範囲
【補正対象項目名】全文
【補正方法】変更
【補正の内容】
【特許請求の範囲】
【請求項１】
撮像手段と、
画像内の被写体の歪みを補正する歪補正処理を施す処理手段と、
前記撮像手段による撮像で得られる画像に対して前記処理手段による歪補正処理を施す場合には、被写体の中央部よりも撮像距離が遠い位置にピントを合わせる所定の焦点調整処理を行うように制御する合焦手段と、
を備えることを特徴とする撮像装置。
【請求項２】
前記処理手段は、被写体の各部での撮像距離が異なる状態で撮像して得られた画像に対して、撮像距離が遠い側の被写体部分を相対的に拡大する歪補正処理を施すことを特徴とする請求項１に記載の撮像装置。
【請求項３】
前記撮像手段による撮像で得られる画像に対して前記処理手段による歪補正処理を施すか否かを判断する判断手段を更に備え、
前記合焦手段は、前記判断手段により歪補正処理を施すと判断されたことを条件として、前記所定の焦点調整処理を行うように制御することを特徴とする請求項１または２に記載の撮像装置。
【請求項４】
前記処理手段は、撮像距離が遠い側の被写体部分と撮像距離が近い側の被写体部分との撮像距離の比に応じて、撮像距離が遠い側の被写体部分の相対的な拡大率を決定することを特徴とする請求項１乃至３の何れか一項に記載の撮像装置。
【請求項５】
前記処理手段は、被写体の輪郭が直角四辺形である場合に、撮像画像から抽出される被写体の輪郭形状に応じて、この抽出された輪郭形状を前記歪補正処理によって直角四辺形に戻すように、撮像距離が遠い側の被写体部分の相対的な拡大率を決定することを特徴とする請求項１乃至３の何れか一項に記載の撮像装置。
【請求項６】
前記処理手段は、前記歪補正処理として、画像内の所定の被写体に対する直角四辺形変換処理を行って直角四辺形画像を生成する画像生成処理を含むことを特徴とする請求項１〜５の何れか一項に記載の撮像装置。
【請求項７】
前記撮像手段により撮像される画像内に、合焦評価値を算出すべき評価領域を所定方向に沿って複数設定する領域設定手段と、
この領域設定手段により設定された前記複数の評価領域について合焦評価値をそれぞれ算出する算出手段と、を更に備え、
前記合焦手段は、
前記所定の焦点調整処理として、前記撮像手段の合焦距離を無限域側から至近域側に移動させる際に、前記算出手段により逐次算出されるいずれかの評価領域の合焦評価値のピークを検出する合焦距離の中で、少なくとも最も遠い合焦距離に基づいて、被写体の中央部よりも距離が遠い位置にピントを合わせるように焦点を調整することを特徴とする請求項１〜６の何れか一項に記載の撮像装置。
【請求項８】
前記合焦手段は、
前記所定の焦点調整処理として、前記撮像手段の合焦距離を無限域側から至近域側に移動させる途中で前記いずれかの評価領域の合焦評価値のピークを検出した場合は、それより至近域側への合焦距離の移動を中断し、このピークを検出した合焦距離または該合焦距離から所定距離だけ至近域側の合焦距離にピントを合わせるように焦点を調整することを特徴とする請求項７に記載の撮像装置。
【請求項９】
前記合焦手段は、
前記所定の焦点調整処理として、前記複数の評価領域で合焦評価値のピークを検出する複数の合焦距離の範囲の中で、被写体の中央部よりも距離が遠い合焦距離にピントを合わせるように焦点を調整することを特徴とする請求項７に記載の撮像装置。
【請求項１０】
前記撮像手段による画像の撮像の際に、前記領域設定手段により設定される複数の評価領域を前記所定の被写体の中央よりも距離が遠い位置と近い位置のそれぞれに対応させるように撮像の案内を行う案内手段を更に備えることを特徴とする請求項６〜９の何れか一項に記載の撮像装置。
【請求項１１】
前記処理手段は、前記複数の評価領域で合焦評価値のピークを検出した複数の合焦距離に基づいて、撮像距離が遠い側の被写体部分と撮像距離が近い側の被写体部分との撮像距離の比を特定して前記相対的な拡大率を決定することを特徴とする請求項６〜１０の何れか一項に記載の撮像装置。
【請求項１２】
ホワイトボードを撮像する撮像モードを設定する設定手段を更に備え、
前記判断手段は、前記設定手段により前記撮像モードが設定された場合に、前記処理手段による歪補正処理を施すと判断することを特徴とする請求項１〜１１の何れか一項に記載の撮像装置。
【請求項１３】
撮像手段を備える撮像装置を用いた撮像処理方法であって、
画像内の被写体の歪みを補正する歪補正処理と、
前記撮像手段による撮像で得られる画像に対して前記歪補正処理を施す場合には、被写体の中央部よりも撮像距離が遠い位置にピントを合わせる所定の焦点調整処理と、
を含むことを特徴とする撮像処理方法。
【請求項１４】
撮像手段を備える撮像装置のコンピュータを、
画像内の被写体の歪みを補正する歪補正処理を施す処理手段、
前記撮像手段による撮像で得られる画像に対して前記処理手段による歪補正処理を施す場合には、被写体の中央部よりも撮像距離が遠い位置にピントを合わせる所定の焦点調整処理を行うように制御する合焦手段、
として機能させることを特徴とするプログラム。